(57)【要約】  【課題】  番組情報の変更にリアルタイムに対応し、かつ、拡張性があり、表現力が豊かなＥＰＧ(Electronic Program Guide)サービスを実現する。  【解決手段】  番組内容とその識別情報を含む番組編成情報を受信する番組編成情報受信手段と、前記番組の識別情報からなる番組制御情報を常時監視して前記識別情報の変更に対しリアルタイムに受信する番組制御情報受信手段と、受信した前記番組制御情報に基づき前記番組編成情報の内容を更新するマージ手段とを備える。ＳＩなどの周期的に放送する比較的サイズが小さく、更新にもリアルタイム性がある番組制御情報と、動画、静止画、音声などで構成され、サイズが大きいため、ある決められた時間帯にのみ送出されるデータ放送アプリケーションを組み合わせることで、表現力が豊かでかつ、リアルタイム性に富んだマルチメディアＥＰＧサービスを実現することができる。【選択図】  図１
2004297828.tif 000002
【特許請求の範囲】
【請求項１】
番組の内容とその識別情報を含む番組編成情報を受信する番組編成情報受信手段と、放送波によりリアルタイムに伝送される前記番組の識別情報を含む番組制御情報を受信する番組制御情報受信手段と、前記番組制御情報受信手段により受信した番組制御情報に基づき、前記番組編成情報受信手段により受信した番組編成情報を更新するマージ手段とを備えた放送受信装置。
【請求項２】
前記番組編成情報または前記番組制御情報は、番組が放送されるネットワークを識別するネットワーク情報、ネットワーク内でチャンネルを識別するチャンネル情報、チャンネル内で番組を識別する番組識別情報、および番組の放送時間を示す番組開始時間継続時間情報を含むことを特徴とする請求項１記載の放送受信装置。
【請求項３】
前記番組制御情報から番組表を生成し表示する番組表生成表示手段と、前記番組表生成表示手段に表示された番組の中から視聴者が選択した番組に対し、どの情報を提示すればよいかを判断する表示制御手段とを備えたことを特徴とする請求項１または請求項２記載の放送受信装置。
【発明の詳細な説明】
【技術分野】
【０００１】
本発明は、デジタル放送等によってマルチメディアＥＰＧアプリケーションを受信する放送受信装置に関する。
【背景技術】
【０００２】
従来、この種の放送受信装置は、周期的に送出されるＳＩ(Service Information)信号を受信し、これを用いて組み込みアプリケーションにより番組表を表示することが可能である。また、ＸＭＬなどをベースにしたデータ放送により静止画、音声、動画を用いた番組表アプリケーションを送信し、受信装置で表現豊かな番組表を表示することが可能である。
【発明の開示】
【発明が解決しようとする課題】
【０００３】
しかしながら、ＳＩ信号を用いて表示される番組表は、番組情報の変更にリアルタイムに対応できるが、組み込みアプリケーションを用いて表示しているため拡張性がなく、表現力に限界があるという問題があった。また、データ放送により表示される番組表は、拡張性があるため表現力が豊かであるが、番組情報の変更にリアルタイムに対応することができないという問題があった。
【０００４】
本発明は、このような問題を解決するものであり、その目的は、番組情報の変更にリアルタイムに対応し、かつ、拡張性があり、表現力が豊かなＥＰＧ(Electronic Program Guide)サービスを実現することのできる放送受信装置を提供することにある。
【課題を解決するための手段】
【０００５】
本発明の放送受信装置は、番組の内容とその識別情報を含む番組編成情報を受信する番組編成情報受信手段と、放送波によりリアルタイムに伝送される前記番組の識別情報を含む番組制御情報を受信する番組制御情報受信手段と、前記番組制御情報受信手段により受信した番組制御情報に基づき、前記番組編成情報受信手段により受信した番組編成情報を更新するマージ手段とを備えたものである。この構成により、番組編成情報提供会社や放送波から番組編成情報を取得し、これらからマルチメディアＥＰＧアプリケーションを生成して放送受信装置へ送出し、放送受信装置側でマルチメディアＥＰＧアプリケーションと番組制御情報とをマージすることで、番組変更にも対応可能で複数メディアに対応したマルチメディアＥＰＧサービスを享受することができる。
【０００６】
また、本発明の放送受信装置は、前記番組編成情報または前記番組制御情報が、番組が放送されるネットワークを識別するネットワーク情報、ネットワーク内でチャンネルを識別するチャンネル情報、チャンネル内で番組を識別する番組識別情報、および番組の放送時間を示す番組開始時間継続時間情報を含むことを特徴とする。この構成により、マルチメディアＥＰＧアプリケーションに比べて少ないデータ量でマルチメディアＥＰＧアプリケーションを更新することができる。
【０００７】
また本発明の放送受信装置は、前記番組制御情報から番組表を生成し表示する番組表生成表示手段と、前記番組表生成表示手段に表示された番組の中から視聴者が選択した番組に対し、どの情報を提示すればよいかを判断する表示制御手段とを備えたことを特徴とする。この構成により、番組表生成表示手段および表示制御手段を放送受信装置上において組み込みアプリケーションとして実現することができるので、受信機メーカーごとに独自な表示が可能となる。
【発明の効果】
【０００８】
本発明の放送受信装置は、ＳＩなどの周期的に放送する比較的サイズが小さく、更新にもリアルタイム性がある番組制御情報と、動画、静止画、音声などで構成され、サイズが大きいため、ある決められた時間帯にのみ送出されるデータ放送アプリケーションを組み合わせることで、表現力が豊かでかつ、リアルタイム性に富んだマルチメディアＥＰＧサービスを実現することができる。
【発明を実施するための最良の形態】
【０００９】
以下、本発明の実施の形態を、図面に基づいて説明する。
【００１０】
（実施の形態１）
図１は本発明の第１の実施の形態における送出システムおよび放送受信装置としての受信機から構成される放送システムの一例を示すブロック図である。送出システム１１０は、番組編成情報を外部の番組編成情報提供会社１０８や放送波１０９などから取得する番組編成情報取得手段１０１と、取得した番組編成情報を指定された符号化方式により符号化する番組編成情報符号化手段１０２と、符号化されたデータを伝送する伝送手段１０３とを備えている。受信機１１２は、送出システム１１０から伝送される番組編成情報を受信する番組編成情報受信手段１０４と、これを表示する番組編成情報表示手段１０７と、臨時ニュースやスポーツ放送の延長などによりリアルタイムに更新される番組内容や番組開始時間や継続時間などを記述した番組制御情報を放送波などから受信する番組制御情報受信手段１０５と、番組制御情報の内容から番組編成情報の内容を更新するマージ手段１０６と、番組編成情報や番組制御情報を記憶する記憶装置１１３とを備えている。
【００１１】
次に、送出システム１１０が番組編成情報を送出する動作について説明する。番組編成情報取得手段１０１は、番組編成情報提供会社１０８や放送波１０９などから番組編成情報を取得する。番組編成情報提供会社１０８は、他ネットワーク（例えば、本発明をＢＳデジタル放送に適用した場合、他ネットワークとしてアナログ放送やＣＡＴＶ、ＣＳデジタル放送などがある）の情報も提供することも可能である。また、番組編成情報提供会社１０８から提供される番組編成情報は、テキストだけではなく、動画、静止画、音声などの各種モノメディアデータとこれらを用いて多彩な表現を実現するマルチメディアＥＰＧアプリケーションの雛形から構成される。マルチメディアＥＰＧアプリケーションの雛形は後述の番組編成情報符号化手段１０２が、マルチメディアＥＰＧアプリケーションを作成するために必要な情報を保持している。放送波１０９から得られる番組編成情報の例としてはＢＳデジタル放送の全局ＳＩ、各局ＳＩが挙げられる。番組編成情報取得手段１０１で取得した番組編成情報は番組編成情報符号化手段１０２に渡される。番組編成情報符号化手段１０２は渡されたマルチメディアＥＰＧアプリケーションの雛形と、モノメディアデータ、放送波１０９から取得した番組編成情報から自動的にマルチメディアＥＰＧアプリケーションを生成する。作成されたマルチメディアＥＰＧアプリケーションは伝送手段１０３に渡される。例えばＢＳデジタル放送の場合はＢＭＬに符号化される。伝送手段１０３はネットワークのプロトコルに基づき、渡された符号化データを送出する。例えばＢＳデジタル放送の場合は独立型データ放送番組として送出される。インターネットの場合は符号化データをＷｅｂサーバに登録することで実現される。
【００１２】
次に、受信機１１２が送出装置１１０から送出された符号化されたマルチメディアＥＰＧアプリケーションを受信したときの動作を説明する。番組編成情報受信手段１０４は、番組編成情報として送出装置１１０から送出された符号化されたマルチメディアＥＰＧアプリケーションを取得するとこれを復号し、マルチメディアＥＰＧアプリケーションを記憶装置１１３に蓄積する。符号化されたマルチメディアＥＰＧアプリケーションの取得方法は伝送プロトコルに依存する。例えばＢＳデジタル放送の場合は、独立型データ放送番組を受信することで実現される。また、インターネットなどの場合は、番組編成情報受信手段１０４が定期的にマルチメディアＥＰＧアプリケーションデータが格納されているＷｅｂサーバにアクセスし、データをダウンロードすることで実現される。一般に、番組編成情報受信手段１０４が取得するデータは、静止画、動画、音声などが含まれているためデータ量が大きく、そのため、１日に数回決められた時間に取得し、受信機内の記憶装置１１３に蓄積される。例えば、ＢＳデジタル放送の場合は、１日に数回、マルチメディアＥＰＧアプリケーションを放送する独立型データ放送番組を放送することで実現する。インターネットなどの場合は、番組編成情報受信手段１０４が１日に数回、マルチメディアＥＰＧアプリケーションデータが格納されているＷｅｂサーバにアクセスする。
【００１３】
これに対し、番組制御情報受信手段１０５が放送波１１１などから受信する番組制御情報のデータ量は、上述のマルチメディアＥＰＧアプリケーションに比べて少なく、放送番組のリアルタイム変更に対応するデータであるため、常に最新の番組に関する情報が周期的に送出される。ＢＳデジタル放送におけるＳＩ信号などがこれに相当する。そのため、番組制御情報受信手段１０５は、周期的に送られてくる番組制御情報を常時監視し、番組制御情報が更新されていれば、これを取得し、記憶装置１１３に蓄積する。
【００１４】
マージ手段１０６は、マルチメディアＥＰＧアプリケーションと番組制御情報を比較し、差分があればマルチメディアＥＰＧアプリケーションに番組制御情報の内容を反映させる。これにより、マルチメディアＥＰＧアプリケーションは最新の情報となる。番組編成表示手段１０７は、マルチメディアＥＰＧアプリケーションを表示する手段である。ＢＳデジタル放送においてはＢＭＬエンジンがこれに相当する。
【００１５】
図２を用いて番組編成情報について説明する。図２は番組編成情報の例である。番組編成情報は、番組所在情報２０１と番組記述２０２より構成される。番組所在情報２０１には、番組が流れるネットワークを識別するネットワーク情報２０３、番組がそのネットワークのどのチャンネルに流れているかを表すチャンネル情報２０４から構成される。ネットワーク情報２０３により他メディアの番組情報を記述することが可能である。番組記述２０２はチャンネル内で番組を識別する番組識別情報２０７とその番組が何時から何分放送されるかを表すと番組開始時間継続時間情報２０５、番組内容記述２０６から構成される。地上波、ＣＡＴＶ、衛星放送などの複数メディアに流れる番組は、番組所在情報２０１と番組識別情報２０７により識別される。
【００１６】
番組内容記述２０６は、番組内容を説明する動画、静止画、音声、テキスト、スクリプトから構成されるマルチメディア情報である。放送波から取得する番組情報の例として全局ＳＩ、各局ＳＩがあげられるが、これらの番組内容記述２０６はテキストである。番組編成情報会社１０８から送られる番組編成情報の番組内容記述２０６は、テキストの場合もあればマルチメディア情報の場合もある。次に番組内容記述２０６のデータ構造例について説明する。データ種２０８はそのデータの種類である。データ名２０９はアプリケーションからそのデータを呼び出すときのデータ名である。データサイ２１０はデータ長である。データ本体２１１はデータを格納する。図２の例では番組内容記述２０６は、音声データと静止画データから構成されている。番組内容記述２０６は番組内容を構成するモノメディアデータのリストである。
【００１７】
図３は番組制御情報の例を示す。番組制御情報は受信機１１２の録画予約視聴予約の実行を支援するもので、図２に示す番組編成情報におけると同様な最新の番組所在情報２０１、すなわち番組が流れるネットワークを識別するネットワーク情報２０３と、番組がそのネットワークのどのチャンネルに流れているかを表すチャンネル情報２０４と、番組編成情報における番組記述２０２から番組内容記述２０６を除いた番組識別情報２０７および番組開始時間継続時間情報２０５とから構成される。ＢＳデジタル放送では、ＳＩのｐ／ｆＥＩＴがこれに相当する。したがって、送信システム１１０の番組編成情報取得手段１０１が番組編成情報提供会社１０８および放送波１０９などから取得する番組編成情報には番組制御情報が含まれていることになる。番組制御情報は、放送波１１１などから周期的に常時送出されており、番組放送時間の変更に対し、リアルタイムに更新、送出される。
【００１８】
図４は番組編成情報提供会社１０８より渡されるマルチメディアＥＰＧアプリケーションの雛形の例を示す。マルチメディアＥＰＧアプリケーションの雛形は、各モノメディアデータの表示位置や表示属性を表す表示情報４０１、番組表選択時の処理を記述した処理情報４０２から構成される。表示情報４０１は、静止画、動画、テキスト、番組表の表示位置が記述される。この情報により番組編成情報提供会社１０８が意図するマルチメディアＥＰＧ画面表示が実現できる。処理情報４０２は、番組表を作成するのに必要な番組所在情報２０１、番組識別情報２０７、番組開始時間継続時間情報２０５、番組選択時に表示、再生を行うモノメディアリスト４０３から構成される。処理情報４０２は、放送波１０９で取得する番組編成情報については記述されていない。処理情報４０２に放送波１０９で取得した番組編成情報の内容を反映させることで、マルチメディアＥＰＧアプリケーションは生成される。なお、本例では、テーブル構造でマルチメディアＥＰＧアプリケーションの雛形の例を図示したが、雛形はＸＭＬやＢＭＬなどの言語で記述可能である。
【００１９】
マルチメディアＥＰＧアプリケーションの雛形は、表示属性によりマルチメディアＥＰＧアプリケーションの表示画面を規定する。図５はマルチメディアＥＰＧアプリケーションの画面例である。番組表領域５０４でカーソルが選択した番組に関連した情報を表示する静止画領域５０１、動画領域５０２、テキスト領域５０３から構成される。
【００２０】
次に、番組編成情報符号化手段１０２がマルチメディアＥＰＧアプリケーションの雛形を用いてマルチメディアＥＰＧアプリケーションを作成する方法について説明する。番組編成情報符号化手段１０２は、マルチメディアＥＰＧアプリケーションの雛型の処理情報４０２に番組編成情報の番組所在情報２０１、番組記述２０２の情報をはめ込むことにより、マルチメディアＥＰＧアプリケーションを生成する。
【００２１】
図６はマルチメディアＥＰＧアプリケーションの作成手順を示している。番組編成情報符号化手段１０２は、番組編成情報取得手段１０１より渡された最新の番組制御情報を含む番組編成情報と、現在の番組編成情報とを比較し、番組開始継続時間情報２０５などが違わないかをチェックする（ステップ６０１）。違いがある場合は、番組制御情報に記述された情報を番組編成情報に上書きし、番組編成情報を最新の情報に更新する（ステップ６０２）。番組表５０４を生成するには、雛型に番組所在情報２０１、番組識別情報２０７、番組開始時間継続時間情報２０５を処理情報４０２の対応するフィールドに書き込むことにより実現する（ステップ６０３）。静止画、動画、テキスト、音声に関しては番組内容記述２０６に記述されるデータ名３０２を処理情報４０２のモノメディアリスト４０３に書き込むことにより、カーソルで番組表の番組が選択されたときに、対応する静止画、動画、テキストを埋め込んだデータ名で呼び出せるようにし、音声データが再生できるようにする（ステップ６０４）。番組編成情報にデータがない場合は（例えば、全局ＳＩ、各局ＳＩから取得した番組編成情報には静止画、動画、音声などのデータはつかない）、あらかじめ決めたデフォルトのデータを書き込む。
【００２２】
番組編成情報符号化手段１０２は、ステップ６０３で行った処理のログを取り、これをもとにマルチメディアＥＰＧ番組編成情報所在情報を作成する。マルチメディアＥＰＧ番組編成情報所在情報の構造を図７に示す。ファイル名７０１は、上述のマルチメディアＥＰＧアプリケーション作成時に、対応する番組所在情報２０１、番組識別情報２０７で識別される番組の番組情報を書き込んだファイルのファイル名である。上述の例では、処理情報４０２が記述されているファイルのファイル名になる。位置７０２は、書き込み先のファイルのどこに書き込んだかを記述する。マルチメディアＥＰＧ番組編成情報所在情報は、マルチメディアＥＰＧアプリケーションを構成するファイルのどの部分に対応する番組編成情報が記述されているかを記述する。
【００２３】
番組編成情報符号化手段１０２は、マルチメディアＥＰＧアプリケーションを構成する静止画、動画、音声、テキストなどのデータをそれぞれデータ名をファイル名としてファイル化し、これらのファイルと、上述のように作成したマルチメディアＥＰＧアプリケーション、マルチメディアＥＰＧ番組編成情報所在情報を決められた方式で符号化し（例えばＢＳデジタル放送の場合はＡＲＩＢ  Ｂ−２４で符号化規則が規定されている）、これを伝送手段１０３に渡す。伝送手段１０３は、データの伝送を行う。番組制御情報が更新されているかどうかを番組編成情報取得手段１０１が常時監視し、変更されている場合はこれを番組編成情報符号化手段１０２に渡し、番組編成情報符号化手段１０２は、以前に番組編成情報取得手段１０１から渡された番組編成情報と最新の番組制御情報を用いて、上述のマルチメディアＥＰＧアプリケーションの作成手順でマルチメディアＥＰＧアプリケーションの作成と符号化を行い、これを伝送手段１０３に渡し、データ送出を行うことにより、番組編成の変更に即座に対応することも可能である。
【００２４】
次に、受信機１１２におけるマージ手段１０６が行う番組編成情報であるマルチメディアＥＰＧアプリケーションと番組制御情報のマージ方式について図８を用いて説明する。マージ手段１０６は、番組編成情報受信手段１０４が受信し記憶装置１１３に蓄積したマルチメディアＥＰＧ番組編成情報所在情報と、番組制御情報受信手段１０５が受信し記憶装置１１３に蓄積した最新の番組制御情報とを比較し、同一番組で番組の開始時間継続時間が変更されたものがないかをチェックする（ステップ８０１）。もし、存在する場合には、その番組に対応するマルチメディアＥＰＧ番組編成情報所在情報のファイル名７０１、書き込み位置７０２を参照し、対応するファイルに記述された番組の開始時間継続時間を書き換える（ステップ８０２）。この処理を番組制御情報に記述されたすべての番組に対して行うことにより、マルチメディアＥＰＧアプリケーションは最新の情報に書き換えられる。また、最新の番組制御情報に記載されていない番組がマルチメディアＥＰＧ番組編成情報所在情報にある場合は、この番組は放送が延期されたものとみなし、マルチメディアＥＰＧアプリケーションの番組表から削除する。番組表からの削除方法はマルチメディアＥＰＧアプリケーション記述言語に依存する。
【００２５】
以上のように、本実施の形態１によれば、受信機１１２上でマルチメディアＥＰＧアプリケーションを起動すると、図５のような画面で最新の番組情報が表示され、カーソルにより番組を選択したり、ボタンをクリックすると、データ名でリンクされたデータファイルをデータ種ごとに定められた領域に表示したり、再生したりすることができる。したがって、番組編成情報提供会社や放送波から番組編成情報を取得し、これらからマルチメディアＥＰＧアプリケーションを生成して受信機１１２へ送出し、受信機１１２側でマルチメディアＥＰＧアプリケーションと番組制御情報をマージすることで、番組変更にも対応可能で複数メディアに対応したマルチメディアＥＰＧサービスを提供することができる。また、センター側でも番組制御情報を取得し、マルチメディアＥＰＧアプリを更新することで、番組制御情報が取得できない受信機に対しても、更新情報を含んだマルチメディアＥＰＧアプリケーションを提供できる。
【００２６】
（実施の形態２）
次に、本発明の実施の形態２を、図面に基づいて説明する。図９は実施の形態２における受信機１１２Ａの一例を示すブロック図である。放送波１１１では、番組制御情報が周期的に送出され、番組制御情報受信手段１０５では、このリアルタイムに更新される番組制御情報を受信する。ＢＳデジタル放送の場合は、番組編成情報も番組制御情報といっしょに周期的に送出されるので、番組制御情報も同時に受信することは可能である。番組表生成表示手段９０１は、番組制御情報から番組表を生成し表示する。ＢＳデジタル放送の場合は、番組制御情報といっしょに送られる番組編成情報も使って番組表を生成表示することが可能である。番組表生成表示手段９０１は、受信機上の組み込みアプリケーションなので、受信機メーカーごとに独自な表示が可能となる。表示制御手段９０２は、送出システム１１０より送られるリンク情報を用いて、視聴者が番組表の番組を選択したときに、どの情報を提示すればよいかを番組編成情報表示手段１０７に伝える。
【００２７】
図１０を用いてリンク情報の内容について説明する。リンク情報は、ネットワーク情報２０３、チャンネル情報２０４、番組識別情報２０７で特定される番組と、それに対応する静止画、動画、音声、テキストなどの番組情報のファイル名リスト１００１を表す。ファイル名リストはデータ名１００２とデータ種１００３を要素とするリストである。
【００２８】
次に、本実施の形態２における送出システム１１０の動作について説明する。本例では図５のマルチメディアＥＰＧアプリケーション画面を例として用いる。番組編成情報取得手段１０１は、番組編成情報提供会社１０８や放送波１０９から番組編成情報を取得する。番組編成情報の内容は実施の形態１と同様である。番組編成情報取得手段１０１は、番組編成情報と雛形アプリケーションを番組編成情報符号化手段１０２に渡す。この雛型アプリケーションは、図５のアプリケーションを実現するために各種データを図５のような表示位置に表示するための処理だけが記述されている。
【００２９】
図１１は番組編成情報提供会社１０８より渡されるマルチメディアＥＰＧアプリケーションの雛形の例を示す。雛形アプリケーションマルチメディアＥＰＧアプリケーションの雛形は、各モノメディアデータの表示位置や表示属性を表す表示情報４０１、番組表選択時の処理を記述した処理情報４０２Ａから構成される。処理情報４０２Ａには、ファイル名とファイルの種類（静止画、動画、音声、テキストなど）を指定すると、ファイルの種類に応じた表示位置に指定されたファイルの内容を表示（音声の場合は再生）する表示スクリプト１１０１が記述されている。この例ではファイル種が音声データの場合は音声を再生する。番組編成情報符号化手段１０２は、番組情報からリンク情報を自動生成する。番組編成情報符号化手段１０２は、マルチメディアＥＰＧアプリケーションを構成する静止画、動画、音声、テキストなどのデータをそれぞれデータ名をファイル名としてファイル化し、これらのファイルと、上述の雛型アプリケーション、リンク情報を決められた方式で符号化し（例えばＢＳデジタル放送の場合はＡＲＩＢ  Ｂ−２４で符号化規則が規定されている）、これを伝送手段１０３に渡す。伝送手段１０３はデータの伝送を行う。
【００３０】
次に、雛型アプリケーション、リンク情報、マルチメディアＥＰＧアプリケーションを構成するモノメディアファイル（静止画、動画、音声、テキストなど）を受信した受信機１１２Ａの動作について図１２を用いて説明する。番組編成情報受信手段１０４は、雛型アプリケーション、リンク情報、マルチメディアＥＰＧアプリケーションを構成するモノメディアファイル（静止画、動画、音声、テキストなど）を受信するとこれらを記憶装置１１３に蓄積する（ステップ１２０１）。番組編成情報表示手段１０７は、記憶装置１１３に雛型アプリケーションが蓄積されるのを検知し、雛型アプリケーションを実行する。雛型アプリケーションは、静止画、動画、テキストや、番組表の表示位置を指定するだけであり、起動時にはこれらの表示位置を表す枠だけが表示される（ステップ１２０２）。次に表示制御手段９０２は、記憶装置１１３にリンク情報があるのを検知し、これを読み込む。これにより表示制御手段９０２は、番組とそれに関連するモノメディアファイルの対応関係を保持する（ステップ１２０３）。
【００３１】
番組制御情報受信手段１０５は、放送波１１１から番組制御情報を取得し、これを記憶装置１１３に蓄積する（ステップ１２０４）。番組表生成表示手段９０１は、記憶装置１１３に蓄積された番組制御情報から番組表を生成する（ステップ１２０５）。番組表生成表示手段９０１は、番組表の表示を実行するために番組編成情報表示手段１０７で起動している雛型アプリケーションに番組表の表示位置要求を出す（ステップ１２０６）。番組編成情報表示手段１０７上の雛型アプリケーションは、番組表の表示位置を指定して番組表生成表示手段９０１に番組表の表示を要求する（ステップ１１０７）。番組表生成表示手段９０１は、指定された位置に生成した番組表を表示する（ステップ１２０８）。
【００３２】
次に、表示された番組表から視聴者が番組を選択したときの動作について説明する。番組表生成表示手段９０１は、視聴者から指定された番組を識別するネットワーク情報、チャンネル情報、番組識別情報を表示制御手段９０２に渡す（ステップ１２０９）。表示制御手段９０２は、保持するリンク情報を用いて渡されたネットワーク情報、チャンネル情報、番組識別情報に対応するファイル名リストを取得する。表示制御手段９０２は、取得したファイル名リストを番組編成情報表示手段１０７で起動している雛型アプリケーションに渡し、ファイル名リストにあるデータ名、データ種を用いてファイルの内容の表示要求を出す（ステップ１２１０）。番組編成情報表示手段１０７で起動している雛型アプリケーションは、データ名から、記憶装置１１３に蓄積されたどのファイルを表示、再生すればよいかを特定し、データ名とデータ種を引数にして表示スクリプト１１０１を実行する。これにより雛型アプリケーションは、指定されたデータの表示、再生を実行する。この動作はファイル名リストに記述されたデータ名、データ種に対し繰り返し行う（ステップ１２１１）。
【００３３】
以上のように、本実施の形態２によれば、番組編成情報提供会社１０８や放送波１０９から静止画、動画などから成る番組編成情報を取得し、雛型アプリケーションとともに受信機１１２Ａへ送出し、受信機１１２Ａ側では、放送波１１１などより取得した番組制御情報から生成した番組表と雛型アプリケーションとを連動させることで、番組変更にも対応可能で複数メディアに対応したマルチメディアＥＰＧサービスを提供することができる。また、本実施の形態２では、すべてをマルチメディアＥＰＧアプリケーションでレイアウトするのではなく、番組表に関しては受信機の組み込みアプリケーションが生成、表示を行うので、受信機メーカーはマルチメディアＥＰＧアプリケーションに対し、メーカー独自の見せ方を工夫することができる。
【産業上の利用可能性】
【００３４】
以上のように、本発明に係る放送受信装置は、表現力が豊かでかつ、リアルタイム性に富んだマルチメディアＥＰＧサービスを実現できるという効果を有し、デジタル放送等によってマルチメディアＥＰＧアプリケーションを受信する放送受信装置等に有用である。
【図面の簡単な説明】
【００３５】
【図１】本発明の実施の形態１における送出システムと受信機からなる放送システムの構成を示すブロック図
【図２】本発明の実施の形態１における番組編成情報の例を示す模式図
【図３】本発明の実施の形態１における番組制御情報の例を示す模式図
【図４】本発明の実施の形態１におけるマルチメディアＥＰＧアプリケーションの雛型の例を示す模式図
【図５】本発明の実施の形態１におけるマルチメディアＥＰＧサービス画面例を示す模式図
【図６】本発明の実施の形態１の送出システムにおけるマルチメディアＥＰＧアプリケーション自動生成処理を示すフロー図
【図７】本発明の実施の形態１におけるマルチメディアＥＰＧ番組編成情報所在情報の例を示す模式図
【図８】本発明の実施の形態１における受信機におけるマージ処理を示すフロー図
【図９】本発明の実施の形態２における受信機の構成を示すブロック図
【図１０】本発明の実施の形態２におけるリンク情報の例を示す模式図
【図１１】本発明の実施の形態２における番組編成情報提供会社より渡されるマルチメディアＥＰＧアプリケーションの雛形の例を示す模式図
【図１２】本発明の実施の形態２における受信機側の放送波から取得した番組制御情報を基に生成した番組表とＥＰＧアプリケーションとの連動手順を記述したシーケンス図
【符号の説明】
【００３６】
１０１  番組編成情報取得手段
１０２  番組編成情報符号化手段
１０３  伝送手段
１０４  番組編成情報受信手段
１０５  番組制御情報受信手段
１０６  マージ手段
１０７  番組編成情報表示手段
１０８  番組編成情報提供会社
１０９  放送波
１１０  送出システム
１１１  放送波
１１２、１１２Ａ  受信機
１１３  記憶装置
２０１  番組所在情報
２０２  番組記述
２０３  ネットワーク情報
２０４  チャンネル情報
２０５  番組開始時間継続時間情報
２０６  番組内容記述
２０７  番組識別情報
２０８  データ種
２０９  データ名
２１０  データサイズ
２１１  データ本体
４０１  表示情報
４０２、４０２Ａ  処理情報
４０３  モノメディアリスト
５０１  静止画領域
５０２  動画領域
５０３  テキスト領域
５０４  番組表領域
７０１  ファイル名
７０２  書き込み位置
９０１  番組表生成表示手段
９０２  表示制御手段
１００１ ファイル名リスト
１００２ データ名
１００３ データ種類
１１０１ 表示スクリプト
【図１】
2004297828.tif 000003
【図２】
2004297828.tif 000004
【図３】
2004297828.tif 000005
【図４】
2004297828.tif 000006
【図５】
2004297828.tif 000007
【図６】
2004297828.tif 000008
【図７】
2004297828.tif 000009
【図８】
2004297828.tif 000010
【図９】
2004297828.tif 000011
【図１０】
2004297828.tif 000012
【図１１】
2004297828.tif 000013
【図１２】
2004297828.tif 000014